(57)【要約】ハンドル（９）と電磁レバー駆動装置と、ラム滑り路（３）と、銃口銃創グループウェア（８）とを含むレバー付き高速電磁ネイルガン又はステープルガン。電磁ネイルガン又はステープルガンの動力として電磁力を用いる。電磁ネイルガン又はステープルガンは、レバー（１５）を用いて速度を変化させながらラムを駆動することにより釘打ち又は針打ちを行う。電磁ネイルガン又はステープルガンは空気圧縮具を備える必要はなく、このことは運搬に便利である。使用時、電磁ネイルガン又はステープルガンは衝撃およびノイズをほとんど発生させない。【選択図】図１
2011524262.tif 000002
【特許請求の範囲】
【請求項１】
主に銃口銃創アセンブリとハンドルとを含む、レバー付き高速電磁ネイルガン又はステープルガンであって、
前記ハンドルであって、前記ハンドルの上端がレバーシートの下端に連結されており、前記ハンドルは中空であり、前記ハンドル外部にはハンドルシェルプレートが設けられており、電磁コイルのパワーをオンまたはオフに切り換えるマイクロスイッチが前記ハンドル内に収容されており、前記マイクロスイッチを駆動させるトリガが前記ハンドルの前部の上端外部に露出している前記ハンドルと、
前記レバーシートと、コイル枠と、電磁コイルと、コアと、前記コアの連結ロッドと、戻りバネの連結片と、レバーと、前記戻りバネとを含む電磁レバー駆動装置であって、前記レバーシートは前記ハンドルの前記上端に設けられており、前記コイル枠は前記レバーシートの前部に設けられており、前記電磁コイルは前記コイル枠に接して前記コイル枠を横切るように設けられており、前記コアは前記電磁コイルを横切るように前記電磁コイル内に設けられており、前記コアの後端は、前記コアの前記連結ロッドで前記レバーに連結されており、さらに連結片で前記戻りバネの前記連結片にも連結されており、前記戻りバネの前記連結片の他端にはバネシートが設けられており、前記バネシートと対応する前記レバーシートとの間に前記戻りバネが設けられており、前記レバーの下端は前記レバーシートに対して回動し、前記レバーのこの端部は前記戻りバネの前記連結片に平行な位置で前記戻りバネの前記連結片に対して回動し、前記レバーの他端はラム滑り路内に収容されている電磁レバー駆動装置と、
前記ラム滑り路であって、前記ラム滑り路はП形状であり、前記レバーシートの上端に設けられており、前記ラム滑り路の前端の下部は前記レバーシートの前記上端かつ前記電磁コイルの上端の位置に連結かつ固定されており、ラムスライダが前記ラム滑り路内に摺動可能に収容されており、前記ラムスライダの下端は前記レバーの上端に対して回動し、前記ラムスライダの前端は前記ラムの後端に連結されており、前記ラムの前端は前記ラム滑り路の前端部内で衝撃パッドを貫通し、前記銃口銃創アセンブリの上部に位置している前記ラム滑り路と、
前記銃口銃創アセンブリであって、前記銃口銃創アセンブリは前記ハンドルの前端に設けられており、前記銃口銃創アセンブリの前記上部の後端はレバーシートの前記上端かつラム滑り路の前記前端の位置に連結かつ固定されており、前記銃口銃創アセンブリの釘又は針アクセスは前記ラムの行程内で上向けに設けられている銃口銃創アセンブリとを備えた
レバー付き高速電磁ネイルガン又はステープルガン。
【請求項２】
前記コアの行程と前記ラムの前記行程との割合が１：３〜１：８である
請求項１に記載のレバー付き高速電磁ネイルガン又はステープルガン。
【発明の詳細な説明】
【技術分野】
【０００１】
本発明は、レバー付き高速電磁ネイルガン又はステープルガンに関する。
【背景技術】
【０００２】
気圧式ネイルガン又はステープルガンは、建築、家の装飾、家具製造、広告用装飾および他の分野で広く用いられている。  
現在、ほとんどのネイルガン又はステープルガンは動力として圧縮空気を用いている。  
圧縮空気がエアハンマーを打ち、エアハンマーが釘又は針を壁または木製ボードに打ち込んで２つの物体を固定する。  
この種の気圧式ネイルガン又はステープルガンは、構造が複雑である、重い、製造プロセスが困難である、高価である、衝撃が大きい、ノイズが大きいなどの欠点を有する。  
さらに使用中は、空気圧縮機、圧力調整兼空気制御器、ならびに気圧式ネイルガン又はステープルガンと空気圧縮機とを連結するホースおよびコネクタを備える必要がある。  
そのため、使用に不便であり、費用対効果が低い。  
使用中、気圧式ネイルガン又はステープルガンはホースを引きずらなくてはならず、そのため、作業をする際に非常に不便である。  
さらに気圧式ネイルガン又はステープルガンは、まず電気エネルギーを圧縮空気の熱エネルギーに変換し、その後、圧縮空気の熱エネルギーをネイルガン又はステープルガンの運動エネルギーに変換する。従って、エネルギーが２度変換されるため、エネルギー利用率が低い。
【発明の開示】
【発明が解決しようとする課題】
【０００３】
本発明の目的は、動力として電磁力を用い、レバーを用いて速度を変化させながらラムを駆動することにより釘打ち又は針打ちを行うレバー付き高速電磁ネイルガン又はステープルガンであって、構造が簡素である、軽量である、製造および稼働コストが低い、衝撃が小さい、ノイズが小さい、作業をする際に便利である、空気圧縮具が不要である、使用効果が良好であるという利点を有するレバー付き高速電磁ネイルガン又はステープルガンを設計することである。
【課題を解決するための手段】
【０００４】
上記目的を達成するために、本発明は以下の技術的解決策を採用する。  
本発明は、主に銃口銃創アセンブリとハンドルとを含む、レバー付き高速電磁ネイルガン又はステープルガンであって、前記ハンドルであって、前記ハンドルの上端がレバーシートの下端に連結されており、前記ハンドルは中空であり、前記ハンドル外部にはハンドルシェルプレートが設けられており、電磁コイルのパワーをオンまたはオフに切り換えるマイクロスイッチが前記ハンドル内に収容されており、前記マイクロスイッチを駆動させるトリガが前記ハンドルの前部の上端外部に露出している前記ハンドルと、前記レバーシートと、コイル枠と、電磁コイルと、コアと、前記コアの連結ロッドと、戻りバネの連結片と、レバーと、前記戻りバネとを含む電磁レバー駆動装置であって、前記レバーシートは前記ハンドルの前記上端に設けられており、前記コイル枠は前記レバーシートの前部に設けられており、前記電磁コイルは前記コイル枠に接して前記コイル枠を横切るように設けられており、前記コアは前記電磁コイルを横切るように前記電磁コイル内に設けられており、前記コアの後端は、前記コアの前記連結ロッドを介して前記コアと平行な位置にある前記レバーに連結されており、さらに連結片を介して前記戻りバネの前記連結片にも連結されており、前記戻りバネの前記連結片の他端にはバネシートが設けられており、前記バネシートと対応する前記レバーシートとの間に前記戻りバネが設けられており、前記レバーの下端は前記レバーシートに対して回動し、前記レバーのこの端部は前記戻りバネの前記連結片に平行な位置で前記戻りバネの前記連結片に対して回動し、前記レバーの他端はラム滑り路内に収容されている電磁レバー駆動装置と、前記ラム滑り路であって、前記ラム滑り路はП形状であり、前記レバーシートの上端に設けられており、前記ラム滑り路の前端の下部は前記レバーシートの前記上端かつ前記電磁コイルの上端の位置に連結かつ固定されており、ラムスライダが前記ラム滑り路内に摺動可能に収容されており、前記ラムスライダの下端は前記レバーの上端に対して回動し、前記ラムスライダの前端は前記ラムの後端に連結されており、前記ラムの前端は前記ラム滑り路の前端部内で衝撃パッドを貫通し、前記銃口銃創アセンブリの上部に位置している前記ラム滑り路と、前記銃口銃創アセンブリであって、前記銃口銃創アセンブリは前記ハンドルの前端に設けられており、前記銃口銃創アセンブリの前記上部の後端はレバーシートの前端かつラム滑り路の前記前端の位置に連結かつ固定されており、銃口銃創アセンブリの釘又は針アクセスは前記ラムの行程内で上向けに設けられている前記銃口銃創アセンブリとを備えたレバー付き高速電磁ネイルガン又はステープルガンである。  
以上の構造設計が本発明の目的を達成する。
【発明の効果】
【０００５】
本発明の利点は、動力として電磁力を直接用いること、レバーを用いて速度を変化させながらラムを駆動することにより釘打ち又は針打ちを行うこと、および、構造が簡素である、軽量である、製造および稼働コストが低い、衝撃が小さい、ノイズが小さい、作業をする際に便利である、空気圧縮具が不要である、作業および運搬が容易である、という特徴を提供することである。  
本発明は気圧式ネイルガン又はステープルガンと同じ釘打ち効果又は針打ち効果を有するが、釘打ち速度又は針打ち速度は気圧式ネイルガン又はステープルガンよりも速く、製造コストは気圧式ネイルガン又はステープルガンの製造コストよりも６０％低いため、使用効果が良好である。
【図面の簡単な説明】
【０００６】
【図１】図１は、本発明の模式的外部構造図である。
【図２】図２は、本発明の模式的構造図である。
【発明を実施するための最良の形態】
【０００７】
図１および図２に示すように、レバー付き高速電磁ネイルガン又はステープルガンは主に、銃口銃創アセンブリとハンドルとを含み、以下を備える。
【０００８】
ハンドル９。  
ハンドルの上端はレバーシートの下端に連結されており、ハンドルは中空である。中空のハンドル内部に制御回路基板が設けられていてもよい。  
ハンドル外部にはハンドルシェルプレート１０が設けられており、ハンドルシェルプレートはハンドル内部の部材を取り囲んでいる。  
電磁コイル２９のパワーをオンまたはオフに切り換えるマイクロスイッチ１２がハンドル内に収容されており、マイクロスイッチを駆動させるトリガ１１がハンドルの前部の上端外部に露出している。  
トリガの役割はマイクロスイッチボタンに接触してマイクロスイッチを押圧することである。
【０００９】
電磁レバー駆動装置。  
電磁レバー駆動装置は、レバーシート１７と、コイル枠１と、電磁コイルと、コア２と、コアの連結ロッド１８と、戻りバネの連結片２２と、レバー１５と、戻りバネ２８とを含む。  
レバーシートはハンドルの上端に設けられており、コイル枠はレバーシートの前部に設けられている。  
電磁コイルはコイル枠に接してコイル枠を横切るように設けられており、コアは電磁コイルを横切るように電磁コイル内に設けられている。
【００１０】
電磁コイルとコアとの間にフラックススリーブ１６が設けられており、フラックススリーブは電磁伝導およびビームバレルとしての役割を担い、フラックススリーブ内でコアが左右に並行移動することを可能にしている。  
コアの後端は、コアの連結ロッドを介してコアと平行なレバーに連結されている。コアの連結ロッドは、ピン２５（またはシャフト）を介して連結ロッドと平行なレバーに連結されていてもよい。  
コアの後端は、コアピン３０でコアの連結ロッドに連結されている。コアの連結ロッドは、連結片４で戻りバネの連結片にも連結されている。  
コアの連結ロッドの後端は、ピン２７で連結片の前端に連結されている。
【００１１】
戻りバネの連結片の他端にはバネシート２３が設けられている。  
バネシートは、戻りバネの連結片の一方側に固定された懸架ビーム２４上にある。
【００１２】
バネシートと対応するレバーとの間に戻りバネが設けられている。  
この端部においてレバーシートと戻りバネとの間に連結シート２１が設けられ、レバーシートと戻りバネとを連結して一体化している。  
レバーの下端は、ピン２６を介して戻りバネの連結片に対して回動する。レバーの他端（すなわち上端）はラム滑り路内に収容されている。
【００１３】
ラム滑り路３。  
ラム滑り路３はП形状であり、レバーシートの上端に設けられている。  
ラム滑り路の下端面上にノッチまたは貫通溝が開口し、レバーの上端の移動を可能にしている。  
ラム滑り路の前端の下部はレバーシートの上端に連結かつ固定されている。
【００１４】
ラムスライダ５がラム滑り路内に摺動可能に収容されている。  
ラムスライダの下端はローラピン１３を介してレバーの上端に対して回動する。  
ラムスライダ上かつローラピンの前端の位置にローラワッシャ２０が設けられており、ローラピンの滑合を可能にしている。  
ラムスライダの上端はラムピン７を介してラム６の後端に連結されている。ラムの前端はラム滑り路の前端部内で衝撃パッド１９を貫通し、銃口銃創アセンブリの上部に位置している。  
衝撃パッドは研磨用ゴムまたはプラスチックから形成されており、ラム案内および衝撃抵抗の役割を担う。  
ラム滑り路の後端はスライダカバー１４によって密閉され、固定されている。
【００１５】
銃口銃創アセンブリ（銃口銃創グループウェア）８。  
銃口銃創アセンブリはハンドルの前端に設けられている。  
銃口銃創アセンブリの上部の後端はレバーシートの上端かつラム滑り路の前端の位置に連結かつ固定されている。  
銃口銃創アセンブリの釘又は針アクセスはラムの行程内で上向けに設けられている。  
コアの行程とラムの行程との割合は１：３〜１：８である。
【００１６】
使用は以下のように行なう。  
ハンドルを手で保持する。  
パワーをオンにし、トリガを引いてマイクロスイッチを駆動させる。  
マイクロスイッチは回路基板上の制御回路を活性化し、電磁コイルのパワーがオンになり、電磁コイルが磁力を発生させて迅速にコアを左方向に引き寄せる。  
コアはレバーを駆動してコアの連結ロッドを介して移動させる。  
レバーの上端は速度を増してラムスライダを駆動し、前端のラムを前方移動させ、銃口銃創アセンブリのキャビティ内の釘又は針を固定ブロックに打ちつける。
【００１７】
他方、戻りバネの連結片上の戻りバネはバネシートと対応するレバーシートとの間で圧縮される。  
トリガが解放されると、マイクロスイッチが電磁コイルのパワーをオフにし、コアは吸引力を失って解放された戻りバネの作用で右方向に移動し、レバーとラムスライダとラムとを駆動して元の位置に戻す。  
これにより釘打ち又は針打ちが完了する。
【００１８】
本発明は概して、動力として電磁力を直接用いており、レバーを用いて速度を変化させながらラムを駆動することにより釘打ち又は針打ちを行うものであり、構造が簡素である、軽量である、製造および使用コストが低い、衝撃が小さい、ノイズが小さい、作業をする際に便利である、空気圧縮具が不要である、作業および運搬が容易である、という特徴を有する。
【００１９】
以上は本発明の好ましい実施形態を説明したものであり、本発明の実施範囲を制限するものではない。  
本発明の適用範囲に従って行われる変更および改変はすべて、本発明の範囲に包含される。
【図１】
2011524262.tif 000003
【図２】
2011524262.tif 000004
【国際調査報告】
2011524262.tif 000005
2011524262.tif 000006
2011524262.tif 000007
2011524262.tif 000008
2011524262.tif 000009
2011524262.tif 000010
2011524262.tif 000011
2011524262.tif 000012